(57)【特許請求の範囲】
【請求項１】
塩化ナトリウムの含量が０．５質量％以下であり、平均分子量が５，０００〜２０，０００であり、かつ、分子量分布において、分子量１万以下の成分の割合が４０質量％以上でかつ分子量５万以上の成分の割合が５質量％以下である、低分子ヒアルロン酸および／またはその塩の製造方法であって、
酸性含水媒体中にヒアルロン酸および／またはその塩を分散させた後、前記含水媒体を除去する工程を含み、
前記酸性含水媒体がｐＨ２以下である、低分子ヒアルロン酸および／またはその塩の製造方法。
【請求項２】
前記分子量分布において、分子量１万以下の成分の割合が４０重量％以上であり、かつ、分子量５万以上の成分の割合が１重量％以下である、請求項１に記載の低分子ヒアルロン酸および／またはその塩の製造方法。
【請求項３】
前記分子量分布において、分子量１万以下の成分の割合が５０重量％以上である、請求項２に記載の低分子ヒアルロン酸および／またはその塩の製造方法。
【請求項４】
前記分散させる工程において、前記酸性含水媒体中に前記ヒアルロン酸および／またはその塩を加熱下で分散させる、請求項１ないし３のいずれかに記載の低分子ヒアルロン酸および／またはその塩の製造方法。
【請求項５】
請求項１ないし４のいずれかに記載の低分子ヒアルロン酸および／またはその塩の０．１ｇ／ｍＬ水溶液（１０ｍＬ）に、０．５ｇ／ｍＬの塩化セチルピリジニウム水溶液（０．０５ｇ）を添加して得られた液の吸光度（Ａ６６０）が０．４Ａｂｓ以上である、請求項１ないし４のいずれかに記載の低分子ヒアルロン酸および／またはその塩の製造方法。
【請求項６】
請求項１ないし５のいずれかに記載の低分子ヒアルロン酸および／またはその塩の製造方法により得られた低分子ヒアルロン酸および／またはその塩を用いて化粧料を製造する工程を含む、化粧料の製造方法。
【請求項７】
請求項１ないし５のいずれかに記載の低分子ヒアルロン酸および／またはその塩の製造方法により得られた低分子ヒアルロン酸および／またはその塩を用いて医薬組成物を製造する工程を含む、医薬組成物の製造方法。
【請求項８】
請求項１ないし５のいずれかに記載の低分子ヒアルロン酸および／またはその塩の製造方法により得られた低分子ヒアルロン酸および／またはその塩を用いて食品組成物を製造する工程を含む、食品組成物の製造方法。
【発明の詳細な説明】
【技術分野】
【０００１】
本発明は、生体内への吸収性に優れた新規な低分子ヒアルロン酸および／またはその塩、ならびにこれを用いた化粧料、医薬組成物および食品組成物に関する。
【背景技術】
【０００２】
ヒアルロン酸（平均分子量：５０万〜２００万）は生体内の多くの組織（例えば皮下組織、眼球、関節）に多く存在するムコ多糖類であり、その高い保湿機能により、例えば化粧料の成分として広く利用されてきた（例えば、特開２０００−０９５６６０号公報）。また、ヒアルロン酸を経口摂取することにより、生体本来の持つヒアルロン酸含量の低下を補い、皮膚の保湿、弾力性、および柔軟性を改善する効果が認められているため、ヒアルロン酸およびその塩は様々な食品に添加されている。【０００３】
しかしながら、ヒアルロン酸は高分子の多糖類であるため、一般に、生体内に吸収されにくい。例えば、ヒアルロン酸を皮膚に塗布することにより、皮膚からの水分の蒸散を防ぐことはできるが、ヒアルロン酸は高分子であるため皮膚組織へ浸透しにくく、大部分が皮膚の表面に留まるのみである。したがって、洗顔や入浴等により皮膚表面のヒアルロン酸が洗い流されると、皮膚の保湿効果が持続しにくい。
【発明の開示】
【０００４】
本発明の目的は、生体内への吸収性に優れた新規な低分子ヒアルロン酸および／またはその塩、ならびにこれを用いた化粧料、医薬組成物および食品組成物を提供することである。
【０００５】
本発明の第１の態様の低分子ヒアルロン酸および／またはその塩は、
平均分子量が５，０００〜２０，０００であり、かつ、分子量分布において、分子量１万以下の成分の割合が４０重量％以上でかつ分子量５万以上の成分の割合が５重量％以下である。
【０００６】
上記低分子ヒアルロン酸および／またはその塩において、前記分子量分布において、分子量１万以下の成分の割合が４０重量％以上であり、かつ、分子量５万以上の成分の割合が１重量％以下であることができる。この場合、前記分子量分布において、分子量１万以下の成分の割合が５０重量％以上であることができる。
【０００７】
上記低分子ヒアルロン酸および／またはその塩において、酸性含水媒体中にヒアルロン酸および／またはその塩を分散させることにより得ることができる。
【０００８】
上記低分子ヒアルロン酸および／またはその塩において、ｐＨ２以下の含水媒体中にヒアルロン酸および／またはその塩を加熱下で分散させた後、前記含水媒体を除去して得られた残留物を加熱乾燥することにより得ることができる。
【０００９】
上記低分子ヒアルロン酸および／またはその塩において、１重量％水溶液の動粘度が２ｍｍ２／ｓ以下であることができる。
【００１０】
上記低分子ヒアルロン酸および／またはその塩の０．１ｇ／ｍＬ水溶液（１０ｍＬ）に、０．５ｇ／ｍＬの塩化セチルピリジニウム水溶液（０．０５ｇ）を添加して得られた液の吸光度（Ａ６６０）が０．４Ａｂｓ以上であることができる。
【００１１】
上記低分子ヒアルロン酸および／またはその塩は、塩化ナトリウムの含量が０．５％以下であることができる。
【００１２】
本発明の第２の態様の化粧料は、上記低分子ヒアルロン酸および／またはその塩を含有する。
【００１３】
本発明の第３の態様の医薬組成物は、上記低分子ヒアルロン酸および／またはその塩を含有する。
【００１４】
本発明の第４の態様の食品組成物は、上記低分子ヒアルロン酸および／またはその塩を含有する。
【００１５】
本発明において、「ヒアルロン酸」とは、グルクロン酸とＮ−アセチルグルコサミンとの二糖からなる繰り返し構成単位を１以上有する多糖類をいう。また、「ヒアルロン酸の塩」としては、特に限定されないが、薬学上許容しうる塩であることが好ましく、例えば、ナトリウム塩、カリウム塩、カルシウム塩、亜鉛塩、マグネシウム塩、アンモニウム塩等が挙げられる。
【００１６】
上記低分子ヒアルロン酸および／またはその塩によれば、生体内への吸収性（例えば経皮吸収性）に優れている。よって、肌改善効果等が期待できる。これにより、上記低分子ヒアルロン酸および／またはその塩は、例えば化粧料、医薬組成物、および食品組成物の成分として有用である。
【図面の簡単な説明】
【００１７】
【図１】図１は、実施例２で得られた低分子ヒアルロン酸のクロマトグラムを示す。
【図２】図２は、実施例２で得られた低分子ヒアルロン酸（サンプルＣ）を含有する液にＣＰＣ溶液を添加して得られた液の吸光度の測定結果を示す。
【図３】図３は、サンプルＡ〜Ｃをそれぞれ含有する液にＣＰＣ溶液を添加して得られた液の外観を示す写真である。
【図４】図４は、試験例１において、試料を５時間貼付した試験群１〜３の分析サンプルのＨＰＬＣ分析チャートを示す。
【図５】図５は、試験例１において、試験群１の試料の貼付時間と、試験群１の分析サンプルにおける皮膚１ｇ当たりのヒアルロン酸増加量との関係を示すグラフである。
【図６】図６は、試験例１で確認試験として行なわれた低分子カラムクロマトグラフィー分析における試験群１〜３の各分析サンプルならびに実施例２で得られた低分子ヒアルロン酸のＨＰＬＣ分析チャートを示す。
【発明を実施するための最良の形態】
【００１８】
以下、本発明の一実施形態に係る低分子ヒアルロン酸および／またはその塩、ならびにこれを用いた化粧料、医薬組成物および食品組成物について詳細に説明する。なお、本実施形態および後述する実施例において、「％」は「質量％」を意味する。【００１９】
１．低分子ヒアルロン酸および／またはその塩
本発明の一実施形態に係る低分子ヒアルロン酸および／またはその塩は、平均分子量が５，０００〜２０，０００であり、かつ、分子量分布において、分子量１万以下の成分の割合が４０重量％以上でかつ分子量５万以上の成分の割合が５重量％以下である。【００２０】
上記低分子ヒアルロン酸および／またはその塩は、生体内への吸収性に優れている。例えば、上記低分子ヒアルロン酸および／またはその塩は経皮吸収性に優れており、上記低分子ヒアルロン酸および／またはその塩を皮膚に塗布した場合、上記低分子ヒアルロン酸および／またはその塩が皮膚表面に留まるのみならず、皮膚組織内部に浸透する。すなわち、皮膚の水分量を保持することができるため、皮膚を瑞々しい状態に保つことができる。【００２１】
上記低分子ヒアルロン酸および／またはその塩は、経口摂取してもよいし、生体内に経皮吸収させてもよいし、あるいは、注射等により生体内に注入してもよい。【００２２】
上記低分子ヒアルロン酸および／またはその塩の平均分子量は、生体内への吸収性の高さの点で、５，０００〜１５，０００であるのがより好ましく、５，０００〜１２，０００であるのがさらに好ましい。【００２３】
上記低分子ヒアルロン酸および／またはその塩において、生体内への吸収性の点で、分子量１万以下の成分の割合が４０重量％以上でかつ平均分子量５万以上の成分の割合が１重量％以下であるのが好ましく、分子量１万以下の成分の割合が５０重量％以上でかつ分子量５万以上の成分の割合が１重量％以下であるのがより好ましい。【００２４】
次に、本発明で規定される平均分子量および分子量分布の測定方法について説明する。【００２５】
１．１．平均分子量の測定方法
本発明で規定される平均分子量は、試料の極限粘度から算出された分子量である。本発明においては、動粘度から極限粘度を求め、この極限粘度を分子量に換算する方法により、低分子ヒアルロン酸および／またはその塩の平均分子量を求める。より具体的には、この方法においては、後に説明するウベローデ粘度計を用いて動粘度を測定し、この動粘度の値から極限粘度を求め、この極限粘度を平均分子量に換算する。【００２６】
一般に、試料の極限粘度を求めるには、まず、複数の試料溶液を調製し、ウベローデ粘度計における試料溶液の流下秒数および溶媒の流下秒数から、下記式（１）および式（２）に基づいて比粘度および還元粘度を算出する。
（式１）
0005289936.tif 000002
（式２）
0005289936.tif 000003
【００２７】
次いで、各試料溶液について、得られた還元粘度を縦軸に、乾燥物換算の試料濃度を横軸にプロットして検量線を作成し、前記試料濃度を０に外挿することにより、試料の極限粘度を得る。試料がヒアルロン酸および／またはその塩である場合、下記式（３）に基づいて、試料の極限粘度から平均分子量Ｍを求めることができる。
（式３）
極限粘度（ｃｍ３／ｇ）＝ｋ’Ｍα  ・・・・・（３）
（上記式（３）において、ｋ’＝０．０３６，α＝０．７８である。）
【００２８】
次に、上記低分子ヒアルロン酸および／またはその塩の分子量を求める際の指標となる動粘度の測定方法について説明する。【００２９】
上記低分子ヒアルロン酸および／またはその塩の水溶液の動粘度は、ウベローデ粘度計（柴田科学器械工業株式会社製）を用いて測定することができる。この際、流下秒数が２００〜１０００秒になるような係数のウベローデ粘度計を選択する。また、測定は３０℃の恒温水槽中で行ない、温度変化のないようにする。【００３０】
ウベローデ粘度計により測定された前記水溶液の流下秒数と、ウベローデ粘度計の係数との積により、動粘度（単位：ｍｍ２／ｓ）を求めることができる。【００３１】
上記低分子ヒアルロン酸および／またはその塩は、１質量％水溶液の動粘度が２ｍｍ２／ｓ以下であることが好ましく、１．８ｍｍ２／ｓ以下であることがより好ましく、１．５ｍｍ２／ｓ以下であることがさらに好ましい。上記低分子ヒアルロン酸および／またはその塩において、１質量％水溶液の動粘度が２ｍｍ２／ｓを超えると、上記低分子ヒアルロン酸および／またはその塩の添加量が所定量を超える場合、粘度が高くなりすぎて調製が困難であったり、あるいは、得られる化粧料、医薬組成物、および食品組成物の粘度に影響を与えてしまい、使用感が低下したり、食感を阻害したりする場合がある。【００３２】
１．２．分子量分布
分子量分布は、本発明の低分子ヒアルロン酸および／またはその塩の特性を規定する値である。【００３３】
本発明で規定される分子量分布は、ゲル濾過カラムを用いて試料を液体クロマトグラフィー分析することにより得られる。上記低分子ヒアルロン酸および／またはその塩は、反復構造単位（Ｎ−アセチル−Ｄ−グルコサミンおよびＤ−グルクロン酸）の数によって異なる分子量を有する複数の成分の混合物である。したがって、ゲル濾過カラムを用いて試料について液体クロマトグラフィー分析を行なうことにより、上記低分子ヒアルロン酸および／またはその塩を構成する成分を分子サイズにより分離することができる。【００３４】
上記低分子ヒアルロン酸および／またはその塩について、ゲル濾過カラムを用いて液体クロマトグラフィー分析を行なうと、保持時間の長い順に、Ｎ−アセチルグルコサミン、Ｄ−グルクロン酸、ヒアルロン酸（二糖：繰り返し構造単位１つ）、ヒアルロン酸（四糖：繰り返し構造単位２つ）、ヒアルロン酸（六糖：繰り返し構造単位３つ）、ヒアルロン酸（八糖：繰り返し構造単位４つ）…のピークが得られる。この結果に基づいて、ヒアルロン酸の保持時間対分子量の検量線を求め、この検量線から、所定の分子量に対応する保持時間を算出し、その保持時間によりピークを分割することにより、所定の分子量範囲にある成分の割合を求めることができる。【００３５】
例えば、分子量１万以下の成分の割合は、上述の検量線から分子量１万に対応する保持時間を算出し、この保持時間以下の成分の吸収面積を全吸収面積で除すことにより求めることができる。同様に、分子量５万以上の成分の割合は、上述の検量線から分子量５万に対応する保持時間を算出し、この保持時間以上の成分の吸収面積を全吸収面積で除すことにより求めた。【００３６】
１．３．ＣＰＣ沈殿法で得られた液の吸光度の測定
ＣＰＣ沈殿法は、ムコ多糖類の確認試験として用いられている試験方法である。ヒアルロン酸に代表されるムコ多糖類は、ＣＰＣ（塩化セチルピリジニウム）等の四級アンモニウム塩と結合して沈殿を起こすことが知られている。【００３７】
本発明においては、ＣＰＣ沈殿法で得られた液の吸光度の値を、本発明の低分子ヒアルロン酸および／またはその塩の存在を判定するための指標の一つとして用いることができる。【００３８】
本実施形態に係る低分子ヒアルロン酸および／またはその塩は、上記低分子ヒアルロン酸および／またはその塩の０．１ｇ／ｍＬ水溶液（１０ｍＬ）に、０．５ｇ／ｍＬの塩化セチルピリジニウム水溶液（ＣＰＣ水溶液）（０．０５ｇ）を添加して得られた液の吸光度（Ａ６６０）が０．４Ａｂｓ以上であることが好ましい。すなわち、吸光度（Ａ６６０）は、波長６６０ｎｍの光に対する吸光度であり、液の「濁り」を同定するための指標として広く用いられている。【００３９】
ここで、本実施形態に係る低分子ヒアルロン酸および／またはその塩は、その分子量および分子量分布の特性により、上記混合液を調製した場合、沈殿を形成しにくく、液が白濁する傾向を有する。すなわち、上記吸光度の値は、本実施形態に係る低分子ヒアルロン酸および／またはその塩の存在を示す指標となる。【００４０】
１．４．製造
上記低分子ヒアルロン酸および／またはその塩は、酸性含水媒体中にヒアルロン酸および／またはその塩を分散させることにより製造するのが好ましい。この方法によれば、公知の方法（例えば酵素等を用いてヒアルロン酸を低分子化する方法やアルカリ条件下で低分子化する方法）と比較して、得られた上記低分子ヒアルロン酸および／またはその塩の分離精製が容易であるため、上記低分子ヒアルロン酸および／またはその塩を低コストで収率良く製造することができる。【００４１】
１．４．１．原料
上記低分子ヒアルロン酸および／またはその塩の原料であるヒアルロン酸およびその塩（以下、「原料ヒアルロン酸およびその塩」ともいう）は一般に、鶏冠、臍の緒、眼球、皮膚、軟骨等の生物組織、あるいはストレプトコッカス属の微生物等のヒアルロン酸生産微生物を培養して得られる培養液等を原料として、これらの原料から抽出（さらに必要に応じて精製）して得られるものである。例えば、鶏冠より抽出されるヒアルロン酸および／またはその塩の分子量は通常２００万から８００万である。【００４２】
原料ヒアルロン酸およびその塩としては、当該粗抽出物および精製物のいずれを用いてもよいが、精製物、具体的にはヒアルロン酸および／またはその塩の純度が９０％（質量比）以上のものが好ましい。純度が９０％以上の原料ヒアルロン酸およびその塩を原料として用いた場合、保存中に色調や風味の変化の原因となり難いため、安定な化粧料、医薬組成物、および食品組成物が得られる。【００４３】
なお、低分子ヒアルロン酸から低分子ヒアルロン酸の塩へと変換する方法、ならびに低分子ヒアルロン酸の塩から低分子ヒアルロン酸へと変換する方法は、特に限定されるわけではなく、公知の方法を用いて行なうことができる。【００４４】
低分子ヒアルロン酸から低分子ヒアルロン酸の塩へと変換する方法としては、例えば、アルカリ水溶液（例えば、水酸化ナトリウム、水酸化カリウム、水酸化カルシウム、水酸化マグネシウム、水酸化アンモニウム等の水溶液）を用いて処理する方法が挙げられる。また、低分子ヒアルロン酸の塩から低分子ヒアルロン酸へと変換する方法としては、例えば、酸水溶液（例えば、塩酸、硫酸、硝酸、リン酸等の水溶液）を用いて処理する方法や、酸性陽イオン交換樹脂を用いる方法が挙げられる。【００４５】
１．４．２．製造方法
１．４．２−１．分散させる工程
上述したように、上記低分子ヒアルロン酸および／またはその塩は、酸性含水媒体中にヒアルロン酸および／またはその塩を分散させることにより製造することができる。【００４６】
分散させる工程においては、例えば、粉末状の原料ヒアルロン酸および／またはその塩を酸性含水媒体に添加して攪拌させることにより行なうことができる。ここで、粉末状のヒアルロン酸および／またはその塩はほとんど溶解することなく、含水媒体中に分散される。したがって、この場合、攪拌を停止することにより当該粉末は沈殿する。【００４７】
ここで、攪拌速度や攪拌時間を調整することにより、低分子化の度合いを調整することができる。また、ヒアルロン酸および／またはその塩を含水媒体中に分散させる時間は、含水媒体のｐＨや温度に応じて適宜決定することができる。【００４８】
原料ヒアルロン酸および／またはその塩を含水媒体中に分散させることにより、上記ヒアルロン酸および／またはその塩を褐変がほとんどない状態で得ることができる。これにより、脱色のための新たな精製工程を必要としないため、生産工程の省力化を図ることができる。【００４９】
また、上述の分散させる工程を加熱下で行なうことができる。より具体的には、粉末状の原料ヒアルロン酸および／またはその塩を、酸性含水媒体中に攪拌しながら添加して得られた分散媒を加熱することができる。あるいは、酸性含水媒体を予め加熱し、これに原料ヒアルロン酸および／またはその塩を添加し、温度を保持してもよい。【００５０】
ここで、酸性含水媒体の加熱温度は３０〜７０℃であるのが好ましい。酸性含水媒体をこの温度範囲内に加熱することにより、１時間以内の加熱により、目的の分子量まで安定に低分子化することができる。上述の分散させる工程をあえて加熱下で行なわずに、常温（３０℃未満）で行なうことにより、原料ヒアルロン酸および／またはその塩を低分子化することも可能である。しかしながら、この場合、加熱下で行なう場合に比べて非常に長い時間を要する。一方、上述の分散させる工程における加熱温度を７０℃より高くすることも可能である。しかしながら、この場合、長時間加熱すると低分子化が進行しすぎて、目的の分子量に安定して調整することが困難となる場合がある。【００５１】
１．４．２−２．加熱乾燥する工程
上記低分子ヒアルロン酸および／またはその塩の製造方法において、上述した、酸性含水媒体中にヒアルロン酸および／またはその塩を分散させる工程の後に、前記含水媒体を除去して得られた残留物を加熱乾燥する工程を含むことができる。【００５２】
ここで、加熱乾燥する工程においては、例えば、上述の分散させる工程によって、低分子化されたヒアルロン酸および／またはその塩から含水媒体を除去して得られた残留物を加熱乾燥する。含水媒体の除去は、例えば、ストレーナーでの濾過や遠心処理等の物理的手段や、ロータリーエバポレータ等を使用した蒸留留去が挙げられる。また、加熱乾燥する工程においては、例えば熱蔵庫や熱風乾燥機等を用いて、得られた残留物から、残留する含水媒体および水分を除去することが好ましい。【００５３】
加熱乾燥する工程における温度および時間は特に定めるものではないが、温度は６０〜９５℃が好ましく、７０〜９０℃がより好ましく、７０〜８０℃がさらに好ましい。加熱乾燥する工程における温度が６０℃未満である場合、乾燥効率が低下する場合があり、一方、加熱乾燥する工程における温度が９５℃を超えると、褐変が生じる場合がある。また、加熱乾燥する工程における時間は６〜４８時間が好ましく、１２〜３６時間がさらに好ましい。加熱乾燥する工程における時間が６時間未満であると、乾燥効率が低下する場合があり、一方、加熱乾燥する工程における温度が４８時間を超えると、褐変が生じる場合がある。【００５４】
加熱乾燥する工程により、上述の分散させる工程によって低分子化されたヒアルロン酸および／またはその塩をさらに低分子化することができるため、低分子化工程の効率向上に寄与することができる。また、加熱乾燥する工程により、上記低分子ヒアルロン酸および／またはその塩を容易に得ることができる。【００５５】
１．４．２−３．含水媒体
上記製造方法において、含水媒体は、水を含む、ヒアルロン酸および／またはその塩の分散媒のことをいう。含水媒体に使用できる媒体は、ヒアルロン酸および／またはその塩の溶解性が低いことが好ましい。含水媒体に使用できる媒体は特に限定されないが、例えば液体であって、水に溶解する性質を有し、かつ、化粧料または食品の製造工程において使用できるものが好ましい。含水媒体に使用できる媒体としては、例えば、アルコール系媒体（例えば、メタノール、エタノール、ｎ−プロパノール、２−プロパノールなど）、ケトン系媒体（例えば、アセトン、メチルエチルケトンなど）、テトラヒドロフラン、アセトニトリル等を挙げることができ、これらを単独でまたは組み合わせて使用することができる。このうち、沸点の低さおよび価格の点で、エタノール、メタノール、およびアセトンから選ばれる少なくとも１種であることが好ましい。【００５６】
含水媒体における含水量は特に規定されないが、含水量が多いと、ヒアルロン酸および／またはその塩が分散状態を維持できず、含水媒体に溶解するため、収率低下を招くおそれがある。したがって、含水媒体の全量に対する水の割合は４０容量％以下が好ましく、３０容量％以下がさらに好ましい。【００５７】
また、上記製造方法において、含水媒体を酸性にするために使用するものとしては、例えば、酸や酸性陽イオン交換樹脂が挙げられる。【００５８】
酸としては、特に限定されないが、化粧料、医薬品または食品の製造において使用できるものが好ましい。酸としては、例えば、塩酸、硫酸、硝酸、リン酸等の無機酸、クエン酸、アスコルビン酸、酢酸、氷酢酸等の有機酸を例として挙げることができる。酸の添加量は特に定めるものではないが、酸の添加量が少ないと、ヒアルロン酸および／またはその塩の低分子化が進まず、製造効率が低下する。一方、酸の添加量が多過ぎると、ヒアルロン酸および／またはその塩の低分子化が促進されるため、目的の分子量に安定して調整することが困難となる。例えば、酸として塩酸を使用する場合、０．２容量％以上４容量％以下であることが好ましく、酸として硫酸を使用する場合、０．１容量％以上３容量％以下であることが好ましい。【００５９】
酸性陽イオン交換樹脂としては、特に限定されないが、例えば、強酸性陽イオン交換樹脂、弱酸性陽イオン交換樹脂等が挙げられ、強酸性陽イオン交換樹脂が好ましい。【００６０】
上記製造方法において、含水媒体のｐＨは２以下であることが好ましく、１以下であることがより好ましい。含水媒体のｐＨが２を超えると、原料ヒアルロン酸および／またはその塩を低分子化するのに長時間を要するため、効率が低下する。【００６１】
１．５．製造方法の違いと塩化ナトリウム含量の違いについて
本発明においては、ヒアルロン酸の塩化ナトリウム含量の値を、本発明の低分子ヒアルロン酸および／またはその塩の存在を判定するための指標の一つとして用いることが出来る。【００６２】
本実施形態に係る低分子ヒアルロン酸および／またはその塩は、塩化ナトリウムの含量が０．５％以下であることが好ましい。さらに好ましくは０．３％以下である。【００６３】
一般的に流通しているヒアルロン酸は、その工業的製造方法により、ある程度の塩化ナトリウムを含有する。その割合は通常１％以上である。一般的なヒアルロン酸の工業的製造方法としては、エタノール沈殿、４級アンモニウム塩による精製方法が挙げられる（FRAGRANCE  JOURNAL  臨時増刊号No.15  1996  別刷）。【００６４】
エタノール沈殿による精製方法は、通常以下の手順にて進行する。ヒアルロン酸の抽出液に塩化ナトリウムを加え、エタノールを抽出液の２〜３倍量添加する。エタノールを添加すると、ヒアルロン酸が沈殿し、不純物は溶解した状態でヒアルロン酸と分離される。この工程を数回繰り返し、ヒアルロン酸の純度を高める。最後に含水エタノールにて数回洗浄し、塩化ナトリウムの除去を行なう。【００６５】
一方、４級アンモニウム塩による精製は以下の手順にて進行する。ヒアルロン酸は４級アンモニウム塩と複合体を形成し、沈殿する性質を持っている。よって、ヒアルロン酸の抽出液に４級アンモニウム塩を添加し、沈殿を生成させる。得られた沈殿を、塩化ナトリウム含有アルコールにて洗浄する。数回繰り返しヒアルロン酸の純度を高めた後、塩化ナトリウムの除去を行なうため、含水エタノールによる洗浄を数回繰り返す。【００６６】
いずれの方法でも、精製の下流で大量の塩化ナトリウムを使用するため、塩化ナトリウムの除去を実施しても、ある程度の量の塩化ナトリウムが残存する。【００６７】
一方、本実施形態に係る製造方法は、詳しくは後述するが、ヒアルロン酸粉末を塩酸含有含水エタノール中で溶解せずに粉末の状態で加熱処理し、その後、含水エタノールにて数回洗浄し、塩酸を除去する。本実施形態に係る製造方法によれば、粉末化の必要が無いため、塩化ナトリウムを添加する必要も無く、使用した塩酸も中和せずに洗浄、乾燥にて除去されるため、塩化ナトリウム・塩素イオンの含量は極端に低レベルに抑えられる。これにより、得られたヒアルロン酸および／またはその塩の塩化ナトリウム含量が０．５％以下、さらには０．３％以下となり得る。【００６８】
後に実施例に示す通り、本実施形態に係る製造方法によれば、塩化ナトリウム含量の下限は０．０５％程度まで低減できるが、さらに低減するには脱塩やイオン交換処理工程等を組み入れることも可能である。このように、本実施形態に係るヒアルロン酸および／またはその塩の塩化ナトリウム含量は、一般的なヒアルロン酸の塩化ナトリウム含量より１／１００以下に低減することが可能となる。【００６９】
本実施形態に係る低分子ヒアルロン酸および／またはその塩は、後に試験例で示すように、化粧料をはじめ、医薬組成物、食品組成物に使用される。その際、塩化ナトリウムをはじめとする塩類は、系の安定性を損なう可能性がある。特に乳化系においては、解乳化の要因となりうる。また、これらは肌や毛髪に直接塗布する、または摂食するものであるため、いずれの理由によっても、塩化ナトリウム等の残留する塩類は極力低減されたものであることが望まれる。【００７０】
２．化粧料
本発明の一実施形態に係る化粧料は、上記低分子ヒアルロン酸および／またはその塩を含有する。上記化粧料の態様は特に限定されないが、例えば、皮膚に使用する洗浄料、化粧水（例えば、美白化粧水）、クリーム（例えば、バニシングクリーム、コールドクリーム）、乳液、美容液、パック、ファンデーション、口紅、リップクリーム、リップグロス、リップライナー、頬紅、ネイルトリートメント、マスカラ、アイライナー、アイブロウ、クレンジング、洗顔料、シャンプー、リンス、ヘアトリートメント、ヘアコンディショナー、ヘアスタイリング、ヘアパック、ヘアトニック、養毛剤、シェービングローション、アフターシェーブローション、アフターサンローション、デオドラントローション、ボディローション（ハンドケアローション、フットケアローションを含む）、ボディオイル、パーマネント液、カラーリング液、石鹸、ボディ洗浄料、入浴剤等を挙げることができる。【００７１】
本実施形態に係る化粧料によれば、上記低分子ヒアルロン酸および／またはその塩を含有することにより、上記低分子ヒアルロン酸および／またはその塩が皮膚組織内部に浸透して保水性を発揮するため、皮膚の水分量が保持されて、皮膚を瑞々しい状態に保つことができる。【００７２】
３．医薬組成物
本発明の一実施形態に係る医薬組成物は、上記低分子ヒアルロン酸および／またはその塩を含有する。上記医薬組成物の態様は特に限定されないが、外用剤および内服剤が挙げられる。外用剤としては、例えば、軟膏剤、外用液剤（例えば、点眼剤、含嗽用液剤）、点鼻薬、点耳剤、貼付剤（例えば、パップ剤、プラスター剤）、坐剤、ローション剤、リニメント剤、エアゾール剤等が挙げられる。また、内服剤としては、例えば、トローチ剤、内服液剤、チュアブル剤等が挙げられる。【００７３】
本実施形態に係る医薬組成物によれば、上記低分子ヒアルロン酸および／またはその塩を含有することにより、生体内への吸収性に優れている。例えば、上記医薬組成物が外用剤の場合、上記低分子ヒアルロン酸および／またはその塩を含有することにより、上記低分子ヒアルロン酸および／またはその塩が皮膚組織内部に浸透して保水性を発揮するため、皮膚の水分量が保持されて、皮膚を瑞々しい状態に保つことができる。また、例えば、上記医薬組成物が内服剤の場合、上記低分子ヒアルロン酸および／またはその塩を含有することにより、上記低分子ヒアルロン酸および／またはその塩が口腔組織に浸透して保水性を発揮するため、口腔保湿効果を発揮することができる。【００７４】
４．食品組成物
本発明の一実施形態に係る食品組成物は、上記低分子ヒアルロン酸および／またはその塩を含有する。上記食品組成物の態様は特に限定されないが、例えば、ガム、キャンディー、グミキャンディー、トローチ様食品、ゼリー飲料等の口腔保湿効果を期待できる食品組成物のほか、主食である米飯加工食品、製パン類等、副食であるレトルト缶詰、冷凍食品、惣菜、乾燥食品等、マヨネーズ等調味料、飲料、菓子、デザート類、液状，ゲル状またはソフトカプセル状等のサプリメント類等の一般食品全般、生理機能を表現することを許可された特定保健用食品全般を挙げることができる。【００７５】
本実施形態に係る食品組成物によれば、上記低分子ヒアルロン酸および／またはその塩を含有することにより、上記低分子ヒアルロン酸および／またはその塩が口腔組織に浸透して保水性を発揮するため、口腔保湿効果を発揮することができる。【００７６】
５．実施例
次に、本発明を以下の実施例、比較例および試験例に基づき、さらに詳細に説明する。なお、本発明はこれらに限定されるものではない。なお、動粘度の測定および極限粘度の算出は、上述した方法により行なわれた。【００７７】
５．１．評価方法
後述する実施例１〜３で得られた低分子ヒアルロン酸について、分子量分布およびＣＰＣ沈殿法で得られた液の吸光度の測定を以下の方法にて測定した。【００７８】
５．１．１．分子量分布
本実施例において、低分子ヒアルロン酸の分子量分布は、ＨＰＬＣ分析装置（商品名「アライアンスＰＤＡシステム」，日本ウォーターズ株式会社製）にゲル濾過カラム（商品名「Ｄｉｏｌ−１２０」，株式会社ワイエムシイ製）を接続して、低分子ヒアルロン酸の０．１％（ｗ／ｖ）水溶液を分析サンプルとして、この分析サンプルを液体クロマトグラフィー分析することにより測定された。一例として、実施例２で得られた低分子ヒアルロン酸のクロマトグラムを図１に示す。【００７９】
また、液体クロマトグラフィー分析の条件は以下の通りであった。【００８０】
カラム温度：４０℃
流速：１ｍＬ／分
低分子ヒアルロン酸の０．１％（ｗ／ｖ）水溶液の注入量：２０μＬ
移動相：０．００３Ｍ リン酸バッファー（０．１５Ｍ ＮａＣｌ含有，ｐＨ７．０）
本実施例に係るゲル濾過カラムを用いた液体クロマトグラフィーでは、保持時間が遅いものほど低分子である。図１に示されるように、右側から保持時間の長い順に、Ｎ−アセチルグルコサミン、Ｄ−グルクロン酸、ヒアルロン酸（二糖：繰り返し構造単位１つ）、ヒアルロン酸（四糖：繰り返し構造単位２つ）、ヒアルロン酸（六糖：繰り返し構造単位３つ）、ヒアルロン酸（八糖：繰り返し構造単位４つ）…のピークが得られた。各ピークにおける保持時間および分子量を算出し、この保持時間対分子量の検量線を求めた（式５）。【００８１】
なお、式５において、ｘは保持時間を示し、ｙは分子量を示す。次いで、式５に示される検量線から、所定の分子量（１万または５万）に対応する保持時間を算出し、これらの保持時間によりピークを分割することにより、所定の分子量範囲にある成分の割合を求めた。また、各ピークが示す分子量は、分子量が既知のヒアルロン酸の最小構成単位（二糖）について同様の方法で液体クロマトグラフィー分析して得られたクロマトグラム中のピークと照会することにより同定された。【００８２】
例えば、分子量１万以下の成分の割合は、式５に示される検量線から分子量１万に対応する保持時間を算出し、この保持時間以下の成分の吸収面積を全吸収面積で除すことにより求めた。同様に、分子量５万以上の成分の割合は、式５に示される検量線から分子量５万に対応する保持時間を算出し、この保持時間以上の成分の吸収面積を全吸収面積で除すことにより求めた。【００８３】
一例として、図１に示すクロマトグラムから得られた各分子量成分の繰り返し単位数および保持時間の関係を表１に示す。【００８４】
【表１】
0005289936.tif 000004
【００８５】
（式５）
y＝−21.4x３＋1296.2x２−26747.1x＋189427.1
・・・・・（５）【００８６】
５．１．２．ＣＰＣ沈殿法で得られた液の吸光度の測定
本実施例において、ＣＰＣ沈殿法で得られた液の吸光度の測定は、以下の方法により行なった。【００８７】
本実施例に係る低分子ヒアルロン酸０．０１ｇを蒸留水１０ｍＬに溶解して、０．１（ｇ／ｍＬ）ヒアルロン酸水溶液を調製した。また、ＣＰＣ１ｇを蒸留水２０ｍＬに溶解させて、０．０５（ｇ／ｍＬ）ＣＰＣ水溶液を調製した。この０．０５（ｇ／ｍＬ）ＣＰＣ水溶液５２μＬ（０．０５ｇ）を０．１（ｇ／ｍＬ）ヒアルロン酸水溶液１０ｍＬに加えてよく攪拌した後、５分後に６６０ｎｍ（濁り）の吸光度を測定した。【００８８】
図２に、実施例２で得られた低分子ヒアルロン酸（サンプルＣ）について、上述の方法による測定で得られた吸光度の測定結果を示す。ここでは、対照として、分子量が既知のヒアルロン酸（サンプルＡ，Ｂ）を用いて同様の試験を行なった
なお、使用したサンプルＡは、商品名「ヒアルロンサンＨＡ−Ｌ５１０」（キユーピー株式会社製）であり、サンプルＢは、商品名「ヒアルロン酸ＦＣＨ  ＦＣＨ−Ａ」（紀文フードケミファ株式会社製）である。また、図３は、吸光度測定を行なったサンプルＡ〜Ｃの外観を示す写真である。【００８９】
【表２】
0005289936.tif 000005
【００９０】
図２に示されるように、異なる波長の光に対する吸光度測定の結果によれば、サンプルＡ，ＢとサンプルＣとで明らかに異なる挙動を示した。また、図３に示されるように、サンプルＡ，ＢとサンプルＣとを目視にて比較したところ、明らかな濁りの違いが見られた。具体的には、サンプルＣ（実施例２で得られた低分子ヒアルロン酸の水溶液）を用いた場合、その分子量および分子量分布の特性により、ＣＰＣ水溶液を添加しても液は沈殿を形成せず、白濁するに留まった。これに対して、サンプルＡ，Ｂを用いて上記操作を行なった結果、ＣＰＣ水溶液を添加すると沈殿が生じたため、液の透明度はサンプルＣを用いた場合と比較して高かった。【００９１】
これらの結果より、ＣＰＣ沈殿法で得られた液の吸光度の測定は、本発明の低分子ヒアルロン酸と、より高分子のヒアルロン酸との特性の違いを示す指標の一つであることが理解できる。【００９２】
なお、後述する実施例１，３で得られた低分子ヒアルロン酸についても、ＣＰＣ沈殿法で得られた液の吸光度の測定を行なった。その結果は後述する各実施例に記載されている。【００９３】
５．１．３．塩化ナトリウム含量の測定
本実施例においては、低分子ヒアルロン酸の塩化ナトリウム含量を、以下に記す通り、モール法により測定した。【００９４】
（測定方法）
実施例１で得られた低分子ヒアルロン酸２．５ｇを蒸留水１００ｍLに溶解した。また、１０％クロム酸カリウム溶液１ｍLを低分子ヒアルロン酸水溶液に加えてよく攪拌した後、硝酸銀溶液にて微褐色になるまで滴定した。次いで、以下の式（４）により、低分子ヒアルロン酸の食塩含量を算出した。【００９５】
（式４）
食塩（％）＝（Ｘ×滴定量（ｍＬ））／（サンプル量（ｇ）×１０００）×１００
・・・・・（４）
（式（４）中、Ｘは硝酸銀溶液のファクターであり、本試験ではＸ＝１３．３４５であった。）【００９６】
（測定結果）
上述の方法による測定で得られた、実施例１で得られた低分子ヒアルロン酸（サンプルＡ）の塩化ナトリウム含量の測定結果を表３に示す。ここでは対照として、エタノール沈殿等の従来法により製造されたヒアルロン酸（サンプルＢ、Ｃ）を用いて同様の試験を行ない、塩化ナトリウム含量を求めた。なお、使用したサンプルＢは、商品名「ヒアルロンサンＨＡ−ＬＦ」（キユーピー株式会社製、平均分子量３０万）であり、サンプルＣは、商品名「ヒアルロン酸ＦＣＨ  ＦＣＨ−Ａ」（紀文フードケミファ株式会社製、平均分子量３万）である。【００９７】
【表３】
0005289936.tif 000006
【００９８】
表３に示されるように、サンプルＡとサンプルＢ、Ｃとは、塩化ナトリウム含量が明らかに異なっていることが確認された。【００９９】
塩化ナトリウム含量の測定は、本発明の低分子ヒアルロン酸と、従来法によって製造されたヒアルロンサンとの特性の違いを示す指標の一つであることが理解できる。【０１００】
なお、後述する実施例２、３で得られた低分子ヒアルロン酸についても、同様の方法にて塩化ナトリウム含量の測定を行った。その結果は後述する各実施例に記載されている。【０１０１】
５．２．実施例１
本実施例では、原料として、鶏冠より抽出、精製したヒアルロン酸ナトリウム（以下、「ＨＡＮａ」ともいう）微粉末を準備した。この原料ＨＡＮａの平均分子量は約２１０万、純度９７％であった。【０１０２】
まず、攪拌機およびジャケットを装備した３００Ｌ容タンクに、０．５％硫酸含有８０％含水アセトン（酸性含水媒体）１１０Ｌを満たし、攪拌しながら液温が６０℃となるよう加熱した。この処理液のｐＨは１．０８であった。ここで、８０％含水アセトンは、アセトンを８０（Ｗ／Ｗ）％含有し、水を２０（Ｗ／Ｗ）％含有するものであり、０．５％硫酸含有８０％含水アセトンは、硫酸を０．５（Ｗ／Ｗ）％含有し、８０％含水アセトンを９９．５（Ｗ／Ｗ）％含有するものである。６０℃に達温後、攪拌しながら，準備した原料ＨＡＮａ微粉末６ｋｇをタンクに投入した。硫酸含有含水アセトンの温度を６０℃に維持するよう加熱を行ないながら、原料ＨＡＮａ微粉末が分散状態となるように攪拌した。【０１０３】
次に、１５分間攪拌してから静置した後、上澄みの硫酸含有含水アセトンをデカンテーションにより除去することにより、沈殿物を得た。得られた沈殿物に、予め６０℃に加熱した０．５％硫酸含有８０％含水アセトン１１０Ｌを加え、同様に６０℃に加熱しながら攪拌を１５分間行ない、この操作を合計３回繰り返した。【０１０４】
次いで、硫酸含有含水アセトンを除去した後に得られた沈殿物に８０％含水アセトン１１０Ｌを加え、硫酸除去の目的で攪拌を１５分間行なった。硫酸の残留がなくなるまでこの操作を繰り返した。【０１０５】
さらに、含水アセトンをデカンテーションにより除去して残留物を得た。この残留物について遠心分離処理を行なうことにより含水アセトンをさらに除去した後、真空乾燥機を用いて７０℃にて減圧で１２時間加熱乾燥した。【０１０６】
以上の工程により、白色微粉末の低分子ヒアルロン酸５．３ｋｇ（収率約８８％）を得た。この低分子ヒアルロン酸は、ウベローデ粘度計を用いて測定された１％水溶液の動粘度が１．５ｍｍ２／ｓであり、極限粘度より換算した平均分子量が９，０００であり、分子量分布において、分子量１万以下の成分の割合が４９重量％以上でかつ分子量５万以上の成分の割合が０．５重量％であった。また、得られた低分子ヒアルロン酸の０．１ｇ／ｍＬ水溶液（１０ｍＬ）に、０．５ｇ／ｍＬの塩化セチルピリジニウム水溶液（０．０５ｇ）を添加して得られた液の吸光度（Ａ６６０）は０．５７Ａｂｓであった。【０１０７】
５．３．実施例２
本実施例では、原料として、実施例１で用いたＨＡＮａ微粉末を準備した。【０１０８】
まず、攪拌機およびジャケットを装備した３００Ｌ容タンクに、２％塩酸含有７３％含水エタノール（酸性含水媒体）１１０Ｌを満たし、攪拌しながら液温が５０℃となるよう加熱した。この処理液のｐＨは０．７０であった。ここで、７３％含水エタノールは、エタノールを７３（Ｗ／Ｗ）％含有し、水を２７（Ｗ／Ｗ）％含有するものであり、２％塩酸含有７３％含水エタノールは、塩酸を２（Ｗ／Ｗ）％含有し、７３％含水エタノールを９８（Ｗ／Ｗ）％含有するものである。５０℃に達温後、攪拌しながら、準備した原料ＨＡＮａ微粉末６ｋｇをタンクに投入した。塩酸含有含水エタノールの温度を６０℃に維持するように加熱を行ないながら、原料ＨＡＮａ微粉末が分散状態となるように攪拌した。【０１０９】
次に、１５分間攪拌してから静置した後、上澄みの塩酸含有含水エタノールをデカンテーションにより除去することにより、沈殿物を得た。得られた沈殿物に、予め５０℃に加熱した２％塩酸含有７３％含水エタノール１１０Ｌを加え、同様に５０℃に加熱しながら攪拌を１５分間行ない、この操作を合計３回繰り返した。【０１１０】
次いで、塩酸含有含水エタノールを除去した後に得られた沈殿物に７３％含水エタノール１１０Ｌを加え、塩酸除去の目的で１５分間の攪拌を行なった。塩酸の残留がなくなるまでこの操作を繰り返した。【０１１１】
さらに、含水エタノールをデカンテーションにより除去して残留物を得た。この残留物について遠心分離処理を行なうことにより含水エタノールをさらに除去した後、真空乾燥機を用いて８０℃にて減圧で２４時間加熱乾燥した。【０１１２】
以上の工程により、白色微粉末の低分子ヒアルロン酸５．５ｋｇ（収率約９２％）を得た。この低分子ヒアルロン酸は、ウベローデ粘度計を用いて測定された１％水溶液の動粘度が１．１ｍｍ２／ｓであり、極限粘度より換算した平均分子量が６，０００であり、分子量分布において、分子量１万以下の成分の割合が５８重量％以上でかつ分子量５万以上の成分の割合が０．２重量％であった。また、得られた低分子ヒアルロン酸の０．１ｇ／ｍＬ水溶液（１０ｍＬ）に、０．５ｇ／ｍＬの塩化セチルピリジニウム水溶液（０．０５ｇ）を添加して得られた液の吸光度（Ａ６６０）は１．１６Ａｂｓであった。さらに、得られた低分子ヒアルロン酸の塩化ナトリウム含量は０．１０％であった。【０１１３】
５．４．実施例３
本実施例では、原料として、ヒアルロン酸産生ストレプトコッカス属の微生物を培養することにより得られたヒアルロン酸含有発酵物より抽出、精製した原料ヒアルロン酸（以下、「ＨＡ」ともいう）微粉末を準備した。この原料ＨＡの平均分子量は約１６０万であり、純度は９７％であった。【０１１４】
まず、攪拌機を装備した３００Ｌ容タンクに、２％塩酸含有８０％含水エタノール（酸性含水媒体）１１０Ｌを満たし、攪拌しながら液温が７０℃となるよう加熱した。この処理液のｐＨは０．７６であった。ここで、８０％含水エタノールは、エタノールを８０（Ｗ／Ｗ）％含有し、水を２０（Ｗ／Ｗ）％含有するものであり、２％塩酸含有８０％含水エタノールは、塩酸を２（Ｗ／Ｗ）％含有し、８０％含水エタノールを９８（Ｗ／Ｗ）％含有するものである。７０℃に達温後、攪拌しながら、準備した原料ＨＡ微粉末６ｋｇを投入した。塩酸含有含水エタノールの温度を７０℃に維持するように温度を調節しながら、原料ＨＡ粉末が分散状態となるように攪拌した。【０１１５】
次に、６０分間攪拌してから静置した後、上澄みの塩酸含有含水エタノールをデカンテーションにより除去することにより残留物を得た。この残留物について遠心分離を行なうことにより含水エタノールをさらに除去した後、真空乾燥機を用いて常温、シリカゲル存在下にて減圧で１２時間乾燥した。【０１１６】
以上の工程により、白色微粉末の低分子ヒアルロン酸５．５ｋｇ（収率約９２％）を得た。この低分子ヒアルロン酸は、ウベローデ粘度計を用いて測定された１％水溶液の動粘度が１．８ｍｍ２／ｓであり、極限粘度より換算した平均分子量が１４，０００であり、分子量分布において、分子量１万以下の成分の割合が４３重量％以上でかつ分子量５万以上の成分の割合が２．１重量％であった。また、得られた低分子ヒアルロン酸の０．１ｇ／ｍＬ水溶液（１０ｍＬ）に、０．５ｇ／ｍＬの塩化セチルピリジニウム水溶液（０．０５ｇ）を添加して得られた液の吸光度（Ａ６６０）は０．４４Ａｂｓであった。さらに、得られた低分子ヒアルロン酸の塩化ナトリウム含量は０．０７％であった。【０１１７】
５．５．試験例１
本試験例においては、本発明の低分子ヒアルロン酸をマウスに経皮投与して、経皮吸収性の評価を行なった。【０１１８】
５．５．１．試験方法
５．５．１−１．動物
ヘアレスマウス（Ｈｏｓ：ＨＲ−１）  雄  ６週齢（試験開始時）
（日本エスエルシー株式会社より購入）
なお、マウスは搬入後１週間馴化させてから試験に用いた。【０１１９】
５．５．１−２．試料
試料１：上記実施例２で得られた低分子ヒアルロン酸
試料２：ヒアルロン酸
（商品名「ヒアルロンサンＨＡ−ＬＱＨ」、キユーピー株式会社製、分子量１８０万）
試料３（対照）：蒸留水【０１２０】
５．５．１−３．蛍光化試料の調製
塗布した試料と皮膚中のヒアルロン酸とを区別するため、試料１，２のヒアルロン酸を蛍光ラベル化物質（ＤＭＥＱ−ヒドラジド）で蛍光化した試料を試験に用いた。具体的には、ヒアルロン酸のカルボン酸基とＤＭＥＱ−ヒドラジドとを反応させることにより蛍光化を行なった。ここで用いられたヒアルロン酸の蛍光化方法は、例えば、李梅花、上田秀雄他による「角質保湿剤ヒアルロン酸ナトリウムの皮膚吸収に及ぼす超音波照射の影響」（Drug Delivery System, 12, 415-419(1997)）に記載されている。【０１２１】
５．５．１−４．試料群
試験群１：蛍光化した試料１の１％水溶液を貼付する群    １５匹
試験群２：蛍光化した試料２の１％水溶液を貼付する群    １５匹
試験群３（対照）：蒸留水を皮膚に貼付する群             １５匹【０１２２】
５．５．１−５．試験方法
まず、マウス腹部に蛍光化した試料または蒸留水を１００ｍｇずつ染み込ませた１ｃｍ２のリント布を貼付し、各試験群につき５匹ずつ１、３、５時間後にリント布を剥がし、皮膚表面に残る試料を水洗した。水洗後はよく乾かし、試料を貼付した皮膚部分を約１ｃｍ２切り取った後ハサミでほぐした。このとき、マウスの皮膚を採取した後、腹膜がきれいに現れたため、真皮まで採取されていることが確認された。【０１２３】
次に、切り取った皮膚を遠沈管に移し、２ｍＬ蒸留水を加えてホモジナイズした後、４℃にて３０００回転で１０分間遠心分離させ、上澄み液を分析サンプルとした。この分析サンプル中の蛍光物質の量を測定することにより、試料１または試料２が皮膚内部に浸透したかどうかを評価した。【０１２４】
なお、試験群３（対照群）と試験群１、および試験群３と試験群２のそれぞれについて、StudentのＴ検定を行ない、Ｐ＜０．０５で有意差有りとした。【０１２５】
５．５．１−６．ＨＰＬＣ分析条件および分析結果
以下の条件にて、上述の試験方法で得られた分析サンプル（上澄み液）について、ＨＰＬＣ分析を行なった。ＨＰＬＣの分析条件は以下の通りである。【０１２６】
分析機器：Ｗａｔｅｒｓ  ２６９０＋４７０
カラム：ｓｈｏｄｅｘ  ｓｕｇｅｒ  ＫＳ８０７（ゲル濾過カラム）
カラム温度：４０℃
流速：０．５ｍＬ／分
注入量：２０μＬ
移動相：０．００３ｍｏｌ／Ｌリン酸バッファー・０．１５ｍｏｌ／Ｌ塩化ナトリウム含有
蛍光分析条件：励起波長３６５ｎｍ・蛍光波長４４７ｎｍ
図４に、試料を５時間貼付した試験群１〜３の分析サンプルのＨＰＬＣ分析チャートを示す。また、表４に、各試験群においてリント布を所定時間貼付した場合に得られた分析サンプルのピーク面積の平均値を示す。【０１２７】
ＨＰＬＣ分析の結果、試験群１で得られた分析サンプルでは、皮膚中の蛍光強度が有意に増加したことが確認された。これに対して、試験群２では、有意な差は確認されなかった。【０１２８】
【表４】
0005289936.tif 000007
【０１２９】
５．５．１−６．皮膚に吸収された低分子ヒアルロン酸の定量
次に、表４に示される分析サンプル中の蛍光ピーク面積から、試験群１〜３において、それぞれヒアルロン酸の経皮吸収量を算出した。ただし、対照群である試験群３からもピークが検出されているため、この影響を排除するために分析サンプルの蛍光ピーク面積から試験群３のピーク面積の平均値を差し引いた。なお、試験群３からもピークが検出されたのは、生体内に蛍光を発する物質（例えば、ビタミン類、芳香族アミノ酸、コレステロール等）がもともと含まれているからであると推測される。その際、各分析サンプルによって皮膚採取量が異なるため、それぞれ皮膚サンプルの重量で割った値を用いて以下の計算式（式６）にて、ヒアルロン酸の経皮吸収量を算出した。
（式６）
0005289936.tif 000008
・・・・・（６）
【０１３０】
なお、ＳＴＤ（標準）溶液については、実際に試験に使用した試料１％水溶液を１００倍希釈したものをＨＰＬＣにて分析して、ピーク面積を求めた。【０１３１】
図５に、試験群１の試料の貼付時間と、試験群１の分析サンプルにおける皮膚１ｇ当たりのヒアルロン酸増加量との関係を示す。図５によると、試料の貼付時間が１〜３時間にかけて、ヒアルロン酸の経皮吸収量は経時的に増大するが、試料の貼付時間が３〜５時間にかけては、ヒアルロン酸の経皮吸収がほぼ平衡に達したと考えられる。すなわち、試験群１（低分子ヒアルロン酸を投与した群）は、１時間、３時間、５時間すべてにおいて、対照群（試験群３）に比べて有意な蛍光ピークの増加を確認できた。【０１３２】
これに対して、試験群２では、試験群３に比べて有意な差は見られず、皮膚１ｇ当たりのヒアルロン酸増加量はほぼゼロであった。この結果から、試験群２のヒアルロン酸はほとんど経皮吸収されなかったことが確認された。また、試験群２で得られた皮膚ホモジナイズ液からヒアルロン酸の吸収が確認されなかったことから、貼付終了後の皮膚洗浄は十分に行われたことが確認された。【０１３３】
以上のことから、本発明の低分子ヒアルロン酸は皮膚表面から皮膚中に取り込まれるのに対して、試験群２で使用されたヒアルロン酸は分子量が１８０万と大きいため、皮膚に吸収されずに皮膚上に滞留するものと推測される。【０１３４】
５．５．１−７．確認試験
なお、上述の試験方法で得られた分析サンプル（上澄み液）について、低分子カラムクロマトグラフィー分析を行なった結果、検出された蛍光ピークは、蛍光化されたヒアルロン酸または皮膚由来の蛍光物質であり、未反応の蛍光ラベル化用物質（ＤＭＥＱ−ヒドラジド）ではないことが確認された。図６に、低分子カラムクロマトグラフィー分析における各分析サンプルのＨＰＬＣ分析チャートを示す。また、低分子カラムクロマトグラフィー分析の条件を以下に示す。【０１３５】
分析機器：ＨＰＬＣ（ｗａｔｅｒｓ  ２６９０＋４７０）
カラム：ＹＭＣ−Ｐａｃｋ  Ｄｉｏｌ  １２０（ゲル濾過カラム）
カラム温度：室温
流速：１ｍＬ／分
注入量：２０μＬ
移動相：０．００３ｍｏｌ／Ｌ−リン酸バッファー（０．１５ｍｏｌ／Ｌ塩化ナトリウム含有）
蛍光分析条件：励起波長３６５ｎｍ・蛍光波長４４７ｎｍ【０１３６】
５．６．試験例２
本試験例においては、本発明の低分子ヒアルロン酸をヒトに経皮投与して、経皮吸収性の評価を行なった。より具体的には、本発明の低分子ヒアルロン酸を滲み込ませたガーゼを被験者の前腕部に１日８時間ずつ３日間（８ｈ／ｄ×３ｄ）貼付した後の皮膚の水分量を測定して、対照（蒸留水）を滲み込ませたガーゼを貼り付けた場合における皮膚の水分量との比較を行なった。【０１３７】
５．６．１．使用サンプル
サンプルＩ…実施例２で得られた低分子ヒアルロン酸の１％水溶液
サンプルＩＩ…分子量１４０万のヒアルロン酸（商品名「ヒアルロンサンＨＡ−ＬＱ」，キユーピー株式会社製）の１％水溶液
サンプルＩＩＩ…蒸留水【０１３８】
５．６．２．測定機器
水分量測定器：商品名「ＳＫＩＣＯＮ−２００」，Ｉ．Ｂ．Ｓ．Ｃｏ．，ＬＴＤ製【０１３９】
５．６．３．測定方法
サンプルＩ〜ＩＩＩをそれぞれ１ｍＬ滲み込ませたガーゼ（面積：３×３ｃｍ２）を被験者（２５〜５０歳の成人１５名）の前腕部に４８時間貼付した後、該ガーゼを剥がし、貼付部位の皮膚の水分量を水分量測定器にて測定した。水分量の測定は、貼付直前、貼付終了直後、貼付終了後１日経過時、貼付終了後４日経過時にそれぞれ行なった。その結果を表５に示す。表５に示される数値は、被験者５名の平均の数値である。【０１４０】
【表５】
0005289936.tif 000009
【０１４１】
表５によれば、サンプルＩを貼付した場合、サンプルＩＩ，ＩＩＩを貼付した場合と比較して、皮膚の水分量を多くかつ持続的に保持できることが確認された。特に、サンプルＩを貼付した場合、サンプルＩＩ，ＩＩＩを貼付した場合と比較して、ガーゼを剥がした後においても、皮膚の水分量を持続的に保持できることが確認された。【０１４２】
５．７．試験例３
本試験例では、化粧料として、以下に記す処方にて、実施例１〜３でそれぞれ得られた低分子ＨＡを配合した化粧水（内容量１００ｍＬ／プラスチック製容器入り）をそれぞれ調製した。【０１４３】
《処方》  オクタン酸セチル                  ０．３０％
メトキシ桂皮酸オクチル            ０．１５％
酢酸トコフェロール                ０．１０％
EMALEX RWIS-158（イソステアリン酸ＰＥＧ-５８水添ヒマシ油）
２．００％
Eldew PS-306（ラウロイルグルタミン酸ジ（オクチルドデシル
／フィトステリル/ベヘニル）)      ０．５０％
ブチルパラベン                    ０．１０％
メチルパラベン                    ０．２０％
１，３−ブチレングリコール        ５．００％
低分子ヒアルロン酸                ０．０２％
水                              ９１．６３％
――――――――――――――――――――――――
計                            １００．００％
本試験例によれば、実施例１〜３で得られた低分子ＨＡを配合することにより、皮膚の水分量を良好に保持することができる化粧水を得ることができた。【０１４４】
５．８．試験例４
本試験例では、化粧料として、以下に記す処方にて、実施例１〜３でそれぞれ得られた低分子ＨＡを配合した化粧水（内容量１００ｍＬ／プラスチック製容器入り）をそれぞれ調製した。【０１４５】
《処方》  ジメチコン                          ２．００％
シクロメチコン                    ２１．００％
ホホバ油                            ０．１０％
EMALEX SS-1906EX(ＰＥＧ-１０ジメチコン)
４．００％
ジメチルシリル化シリカ              ０．２０％
Pemulen TR-2(（アクリル酸／アクリル酸アルキル
（Ｃ１０−３０））コポリマー)       ０．０５％
酢酸トコフェロール                  ０．１０％
プロピルパラベン                    ０．０５％
ブチルパラベン                      ０．０５％
メチルパラベン                      ０．１０％
酸化鉄                              ０．００％
１，３−ブチレングリコール          １．００％
低分子ヒアルロン酸                  ０．０５％
グリセリン                        ２５．００％
硫酸マグネシウム                    ０．２０％
水                                ４６．１０％
――――――――――――――――――――――――
計                              １００．００％
本試験例によれば、実施例１〜３で得られた低分子ＨＡを配合することにより、皮膚の水分量を良好に保持することができる化粧水を得ることができた。【０１４６】
５．９．試験例５
本試験例では、化粧料として、以下に記す処方にて、実施例１〜３でそれぞれ得られた低分子ＨＡを配合した乳液（内容量１００ｍＬ／プラスチック製容器入り）をそれぞれ調製した。【０１４７】
《処方》  プロピレングリコール                ７．９２％
トレハロース                        ０．０３％
低分子ヒアルロン酸                  ０．０１％
ミネラルオイル                      ３．００％
トリオクタノイン                    １．５０％
スクワラン                          １．００％
ステアリン酸                        ０．５０％
セテアリルアルコール                ０．５０％
ラノリン                            ０．３０％
パラフィン                          ０．２０％
ステアリン酸ソルビタン              １．４０％
テトラオレイン酸ソルベース−３０    １．００％
ポリソルベート６０                  ０．８０％
メチルパラベン                      ０．２０％
プロピルパラベン                    ０．１０％
エタノール                          ０．０１％
フェノキシエタノール                適      量
カルボマー                          ０．１０％
水酸化カリウム                      ０．１０％
ＢＨＴ                              ０．０２％
トコフェロール                      適      量
ＥＤＴＡ−２ナトリウム              ０．０２％
――――――――――――――――――――――――
水                        全量を１００％とする
本試験例によれば、実施例１〜３で得られた低分子ＨＡを配合することにより、皮膚の水分量を良好に保持することができる乳液を得ることができた。【０１４８】
５．１０．試験例６
本試験例では、化粧料として、以下に記す処方にて、実施例１〜３でそれぞれ得られた低分子ＨＡを配合したクリーム（内容量５０ｇ／スクリューキャップ付プラスチック製容器入り）をそれぞれ調製した。【０１４９】
《処方》  スクワラン                        １１．００％
ジメチコン                          １．００％
ベヘニルアルコール                  ３．００％
ラウロイルグルタミン酸ジオクチルドデシル
２．００％
EMALEX GMS-50 （ステアリン酸グリセリル（ＳＥ））
８．００％
EMALEX 805（ステアリン酸ＰＥＧ−５）２．００％
プロピルパラベン                    ０．１０％
プロピレングリコール                ５．００％
メチルパラベン                      ０．２０％
尿素                                ５．００％
低分子ヒアルロン酸                  ０．０３％
水                                ６２．６７％
――――――――――――――――――――――――
計                              １００．００％
本試験例によれば、実施例１〜３で得られた低分子ＨＡを配合することにより、皮膚の水分量を良好に保持することができるクリームを得ることができた。【０１５０】
５．１１．試験例７
本試験例では、化粧料として、以下に記す処方にて、実施例１〜３でそれぞれ得られた低分子ＨＡを配合したクレンジングクリーム（内容量５０ｇ／スクリューキャップ付プラスチック製容器入り）をそれぞれ調製した。【０１５１】
《処方》  ミネラルオイル                    ３０．００％
パラフィン                          ３．００％
ミツロウ                            ２．００％
オクタン酸セチル                  ２５．００％
ベヘニルアルコール                  ５．００％
ステアリン酸グリセリル              １．００％
EMALEX 600di-ISEX（ジイソステアリン酸ＰＥＧ-１２）
３．００％
EMALEX 620（ステアレス−２０）      １．００％
酢酸トコフェロール                  ０．１０％
プロピルパラベン                    ０．１５％
ステアロイルグルタミン酸Ｎａ        ０．４０％
１，３−ブチレングリコール          ３．００％
メチルパラベン                      ０．１５％
キサンタンガム                    １０．００％
低分子ヒアルロン酸                  ０．１０％
水                                １６．１０％
――――――――――――――――――――――――
計                              １００．００％
本試験例によれば、実施例１〜３で得られた低分子ＨＡを配合することにより、皮膚の水分量を良好に保持することができるクレンジングクリームを得ることができた。【０１５２】
５．１２．試験例８
本試験例では、化粧料として、以下に記す処方にて、実施例１〜３でそれぞれ得られた低分子ＨＡを配合した化粧下地（内容量３０ｇ／フタ付プラスチック製容器入り）をそれぞれ調製した。【０１５３】
《処方》  エタノール                        １０．００％
メントール                          ０．０２％
グリセリン                          ５．００％
ＢＧ                                ３．００％
低分子ヒアルロン酸                  ０．０１％
ジメチコン                          ２．００％
トリオクタノイン                    ２．００％
ジメチルＰＡＢＡオクチル            ０．５０％
オキシベンゾン                      ０．０５％
カルボマー                          ０．３０％
シリカ                              ０．２０％
ＡＭＰ                              ０．２０％
メチルパラベン                      ０．１６％
フェノキシエタノール                適      量
トコフェロール                      ０．０２％
ＥＤＴＡ−２ナトリウム              ０．０１％
――――――――――――――――――――――――
水                          全量を１００％とする
本試験例によれば、実施例１〜３で得られた低分子ＨＡを配合することにより、皮膚の水分量を良好に保持することができる化粧下地を得ることができた。【０１５４】
５．１３．試験例９
本試験例では、化粧料として、以下に記す処方にて、実施例１〜３でそれぞれ得られた低分子ＨＡを配合したヘアコンディショナー（内容量５００ｍＬ／プラスチック製容器入り）をそれぞれ調製した。【０１５５】
《処方》  ジメチコン                          ３．００％
プロピレングリコール                ８．００％
ミネラルオイル                      ２．００％
グリセリン                          ３．００％
ＰＰＧ−３０                        ０．５０％
ステアレス−４                      １．００％
セトリモニウムブロミド              ２．００％
セタノール                          ２．００％
低分子ヒアルロン酸                  ０．５０％
加水分解コラーゲン                  １．００％
加水分解シルク                      １．００％
ベヘントリモニウムメトサルフェート  ０．８０％
フェノキシエタノール                ０．４０％
セトステアリルアルコール            ０．５０％
ステアリルアルコール                ０．５０％
ＥＤＴＡ−２ナトリウム              ０．１０％
メチルパラベン                      ０．１０％
香料                                適      量
水                                ７３．６０％
―――――――――――――――――――――――――――――――
計                              １００．００％
本試験例によれば、実施例１〜３で得られた低分子ＨＡを配合することにより、皮膚の水分量を良好に保持することができるヘアコンディショナーを得ることができた。
【０１５６】
５．１４．試験例１０
本試験例では、化粧料として、以下に記す処方にて、実施例１〜３でそれぞれ得られた低分子ＨＡを配合したアフターサンローション（内容量１００ｍＬ／プラスチック製容器入り）をそれぞれ調製した。【０１５７】
《処方》  エタノール                        １１．０４％
ＢＧ                                ４．１６％
オウゴンエキス                      適      量
低分子ヒアルロン酸                  ０．５０％
ステアリルアルコール                ０．７２％
アボカド油                          ０．７２％
ステアリン酸                        ０．０２％
オリザノール                        適      量
ポリソルベート                      ０．２３％
ＰＰＧ−６デシルテトラデセス−２０  ０．２０％
オクトキシノール−３                ０．０８％
メチルパラベン                      ０．１４％
プロピルパラベン                    ０．０７％
カルボマー                          ０．１３％
ＰＶＰ                              適      量
水酸化カリウム                      ０．０４％
ＥＤＴＡ−２ナトリウム              ０．０１％
トコフェロール                      適      量
水                                ７５．１０％
――――――――――――――――――――――――
計                              １００．００％
本試験例によれば、実施例１〜３で得られた低分子ＨＡを配合することにより、皮膚の水分量を良好に保持することができるアフターサンローションを得ることができた。【０１５８】
５．１５．試験例１１
本試験例では、化粧料として、以下に記す処方にて、実施例１〜３でそれぞれ得られた低分子ＨＡを配合したアフターシェーブローション（内容量１００ｍＬ／プラスチック製容器入り）をそれぞれ調製した。【０１５９】
《処方》  エタノール                        ５８．００％
メントール                          ０．１０％
プロピレングリコール                ２．００％
グリチルリチン酸二カリウム          ０．０５％
低分子ヒアルロン酸                  ２．００％
香料                                ０．１０％
――――――――――――――――――――――――
水                        全量を１００％とする
本試験例によれば、実施例１〜３で得られた低分子ＨＡを配合することにより、皮膚の水分量を良好に保持することができるアフターシェーブローションを得ることができた。【０１６０】
５．１６．試験例１２
本試験例では、化粧料として、以下に記す処方にて、実施例１〜３でそれぞれ得られた低分子ＨＡを配合した入浴剤（内容量２００ｍＬ／プラスチック製容器入り）をそれぞれ調製した。【０１６１】
《処方》  オクタン酸セチル                  ４３．８０％
オクチルドデセス−１０              ８．００％
ブチルパラベン                      ０．２０％
メチルパラベン                      ０．１０％
グリセリン                          ２．００％
低分子ヒアルロン酸                  １．００％
水                                ４４．９０％
――――――――――――――――――――――――
計                              １００．００％
本試験例によれば、実施例１〜３で得られた低分子ＨＡを配合することにより、皮膚の水分量を良好に保持することができる入浴剤を得ることができた。【０１６２】
５．１７．試験例１３
本試験例では、医薬組成物として、以下に記す処方にて、実施例１〜３でそれぞれ得られた低分子ＨＡを配合した温感刺激パップ剤をそれぞれ調製した。【０１６３】
《処方》  ポリアクリル酸ナトリウム                ４．００ｇ
カルボキシメチルセルロースナトリウム    ２．００ｇ
カオリン                                ５．００ｇ
ゼラチン                                ３．００ｇ
グリセリン                            ２０．００ｇ
トウガラシエキス                        ０．１５ｇ
低分子ヒアルロン酸                      ５．００ｇ
水                                    ６０．８５ｇ
――――――――――――――――――――――――――――――――――
計                                  １００．００ｇ
【０１６４】
５．１８．試験例１４
本試験例では、医薬組成物として、以下に記す処方にて、実施例１〜３でそれぞれ得られた低分子ＨＡを配合した冷感経皮吸収型パップ剤をそれぞれ調製した。【０１６５】
《処方》  低分子ヒアルロン酸                      ２．５０ｇ
インドメタシン                          ０．３０ｇ
Ｌ−メント−ル                          ０．４０ｇ
ポリアクリル酸ナトリウム                ６．５０ｇ
カルボキシメチルセルロ−スナトリウム    １．００ｇ
ゼラチン                                ３．００ｇ
グリセリン                            ２９．７０ｇ
アルミニウムグリシネート                ０．０８ｇ
ポリオキシエチレン硬化ヒマシ油          ０．５０ｇ
乳酸                                    １．００ｇ
水                                    ５５．０２ｇ
――――――――――――――――――――――――――
計                                  １００．００ｇ
本試験例によれば、実施例１〜３で得られた低分子ＨＡを配合することにより、皮膚の水分量を良好に保持することができる冷感経皮吸収型パップ剤を得ることができた。【０１６６】
５．１９．試験例１５
本試験例では、食品組成物として、以下に記す処方にて、実施例１〜３でそれぞれ得られた低分子ＨＡを配合したスパウトパウチ入りグレープフルーツゼリー飲料（内容量１００ｇ／透明スパウトパウチ入り）をそれぞれ調製した。【０１６７】
《処方》  低分子ヒアルロン酸                  ０．１ｇ
５倍濃縮グレープフルーツ果汁        ２．０ｇ
カラギーナン（ゲル化剤）            １．０ｇ
キサンタンガム（増粘剤）            ０．５ｇ
スクラロース（甘味料）              ０．１ｇ
クエン酸                            １．０ｇ
クエン酸ナトリウム                  ０．２ｇ
グレープフルーツ香料                ０．５ｇ
精製水                            ９４．６ｇ
――――――――――――――――――――――――
計                              １００．０ｇ
本試験例によれば、実施例１〜３で得られた低分子ＨＡを配合することにより、風味および食感に優れたグレープフルーツゼリー飲料を得ることができた。
【図２】
0005289936.tif 000010
【図４】
0005289936.tif 000011
【図６】
0005289936.tif 000012
【図１】
0005289936.tif 000013
【図３】
0005289936.tif 000014
【図５】
0005289936.tif 000015